(57)【要約】【課題】  ブラシホルダーの変形を確実に防止し、ブラシを滑らかに摺動させてモータ作動を確実にするモータのブラシホルダー取付構造を提供する。【解決手段】  ブラシ１６を保持する金属製のブラシホルダー１０を相対向する一対の側片１１，１１と天井片１２とで断面コ字状に形成すると共に、該一対の側片１１，１１の反天井片側の端部に固定片１４をそれぞれ突設し、この一対の側片１１，１１の各固定片１４を樹脂製のホルダーベース２３の形成した一対の取付孔２４，２４に貫通させ、該ホルダーベース２３の他端面２３ｂ側で折り曲げ形成して、ブラシホルダー１０をホルダーベース２３に取り付けるモータのブラシホルダー取付構造において、ホルダーベース２３の一端面２３ａに、ブラシホルダー１０の一対の側片１１，１１の内面間の距離より僅かに短い長さの凸部２５一対の側片１１，１１間に一体突出形成した。【選択図】      図２
2006211750.tif 000002
【特許請求の範囲】
【請求項１】
ブラシを出没自在に収納保持する金属製のブラシホルダーを相対向する一対の側片と天井片とで断面コ字状に形成すると共に、該一対の側片の反天井片側の端部に固定片をそれぞれ突設し、この一対の側片の各固定片を樹脂製のホルダーベースの一端面から他端面に貫通させて形成した一対の取付孔に貫通させ、前記一対の取付孔に貫通させた各固定片を前記ホルダーベースの他端面側で折り曲げ形成して、前記ブラシホルダーを前記ホルダーベースに取り付けるようにしたモータのブラシホルダー取付構造において、
前記ホルダーベースの一端面に、前記ブラシホルダーの一対の側片の内面間の距離より僅かに短い長さの凸部を前記一対の側片間に形成したことを特徴とするモータのブラシホルダー取付構造。
【請求項２】
ブラシを出没自在に収納保持する金属製のブラシホルダーを相対向する一対の側片と天井片とで断面コ字状に形成すると共に、該一対の側片の反天井片側の端部に固定片をそれぞれ突設し、この一対の側片の各固定片を樹脂製のホルダーベースの一端面から他端面に貫通させて形成した一対の取付孔に貫通させ、前記一対の取付孔に貫通させた各固定片を前記ホルダーベースの他端面側で折り曲げ形成して、前記ブラシホルダーを前記ホルダーベースに取り付けるようにしたモータのブラシホルダー取付構造において、
前記ホルダーベースの一端面に、前記ブラシホルダーの一対の側片の内面間の距離より僅かに短い長さの凸部を形成すると共に、前記ホルダーベースの一対の側片の外側に凸部を形成したことを特徴とするモータのブラシホルダー取付構造。
【発明の詳細な説明】
【技術分野】
【０００１】
本発明は、モータの整流に用いられるブラシを出没自在に収納保持する金属製のブラシホルダーを樹脂製のホルダーベースに取り付ける際に利用して好適なモータのブラシホルダー取付構造に関する。
【背景技術】
【０００２】
この種のモータのブラシホルダー取付構造として、図７〜図９に示すものがある（例えば、特許文献１参照。）。
【０００３】
このモータのブラシホルダー取付構造に用いられる金属製のブラシホルダー１は、図７〜図９に示すように、相対向する一対の側片２，２と天井片３と後片４とで断面コ字状の中空角筒状になっており、その内部にコイルバネで図示しない整流子側に付勢されるブラシ７が出没自在に収納保持されている。また、一対の側片２，２の反天井片側の端部には各一対の固定片５，５をそれぞれ突設してある。
【０００４】
そして、このブラシホルダー１の一対の側片２，２の各一対の固定片５，５を樹脂製で円板状のホルダーベース８の一端面から他端面に貫通させて形成された各一対の取付孔９，９に貫通させ、該ホルダーベース８の他端面８ｂ側で加締め加工によりそれぞれ折り曲げてある。これにより、ブラシホルダー１がホルダーベース８に取り付けられ、ブラシホルダー１に出没自在に収納保持されたブラシ７がホルダーベースの一端面を摺動するようになっている。
【０００５】
【特許文献１】特開平７−３２２５７２号公報（図８、図９）
【０００６】
【特許文献２】実公平２−４２０５８号公報（第５図、第６図）
【発明の開示】
【発明が解決しようとする課題】
【０００７】
しかしながら、前記従来のモータのブラシホルダー取付構造では、金属製のブラシホルダー１を樹脂製のホルダーベース８に取り付ける際にブラシホルダー１の一対の側片２，２の各固定片５をホルダーベース８の他端面８ｂ側に加締めて折り曲げているため、この加締め時にブラシホルダー１の一対の側片２，２が変形し易い欠点があり、この一対の側片２，２が変形すると、ブラシ７がホルダーベース８上を滑らかに動かなくなり、モータが作動し難くなった。
【０００８】
そこで、本発明は、前記した課題を解決すべくなされたものであり、ブラシホルダーの変形を確実に防止することができ、ブラシを滑らかに摺動させてモータを確実に作動させることができるモータのブラシホルダー取付構造を提供することを目的とする。
【課題を解決するための手段】
【０００９】
請求項１の発明は、ブラシを出没自在に収納保持する金属製のブラシホルダーを相対向する一対の側片と天井片とで断面コ字状に形成すると共に、該一対の側片の反天井片側の端部に固定片をそれぞれ突設し、この一対の側片の各固定片を樹脂製のホルダーベースの一端面から他端面に貫通させて形成した一対の取付孔に貫通させ、前記一対の取付孔に貫通させた各固定片を前記ホルダーベースの他端面側で折り曲げ形成して、前記ブラシホルダーを前記ホルダーベースに取り付けるようにしたモータのブラシホルダー取付構造において、前記ホルダーベースの一端面に、前記ブラシホルダーの一対の側片の内面間の距離より僅かに短い長さの凸部を前記一対の側片間に形成したことを特徴とする。
【００１０】
請求項２の発明において、ブラシを出没自在に収納保持する金属製のブラシホルダーを相対向する一対の側片と天井片とで断面コ字状に形成すると共に、該一対の側片の反天井片側の端部に固定片をそれぞれ突設し、この一対の側片の各固定片を樹脂製のホルダーベースの一端面から他端面に貫通させて形成した一対の取付孔に貫通させ、前記一対の取付孔に貫通させた各固定片を前記ホルダーベースの他端面側で折り曲げ形成して、前記ブラシホルダーを前記ホルダーベースに取り付けるようにしたモータのブラシホルダー取り付け構造において、前記ホルダーベースの一端面に、前記ブラシホルダーの一対の側片の内面間の距離より僅かに短い長さの凸部を形成すると共に、前記ホルダーベースの一対の側片の外側に凸部を形成したことを特徴とする。
【発明の効果】
【００１１】
以上説明したように、請求項１の発明によれば、ホルダーベースの一端面に一対の側片の内面間の距離より僅かに短い長さの凸部を形成したことにより、この一対の側片の各固定片をホルダーベースの他端面側で折り曲げてブラシホルダーをホルダーベースに取り付ける際に、ホルダーベースの一端面の一対の側片の内面の距離より僅かに短い長さの凸部で一対の側片を支持することでき、該一対の側片の変形を確実に防止することができる。これにより、ホルダーベース上にブラシを滑らかに摺動することができてモータを確実に作動させることができる。
【００１２】
請求項２の発明によれば、ホルダーベースの一端面にブラシホルダーの一対の側片の内面間の距離より僅かに短い長さの凸部と一対の側片間の外側に凸部をそれぞれ形成したことにより、この一対の側片の各固定片をホルダーベースの他端面側で折り曲げてブラシホルダーをホルダーベースに取り付ける際に、ホルダーベースの一端面に一対の側片の内面間の距離より僅かに短い長さの凸部と側片の外側の凸部とで、一対の側片を確実に支持することができ、該一対の側片の変形を確実に防止することができる。これによりホルダーベース上にブラシを滑らかに摺動することができてモータを確実に作動させることができる。
【発明を実施するための最良の形態】
【００１３】
以下、本発明の実施形態を図面に基づいて説明する。
【００１４】
図１は本発明の実施形態のブラシホルダーの取付状態を示す側面図、図２は図１中Ｘ−Ｘ線に沿う断面図、図３は同ブラシホルダーが取り付けられたホルダーベースの平面図、図４は同ホルダーベースが取り付けられたモータ要部の断面図である。
【００１５】
図４に示すように、モータ２０の有底円筒状のヨーク（ハウジングケース）２１の開口部２１ａは金属製で円板状のエンドカバー（ハウジングケース）２２で閉塞されていると共に、該開口部２１ａには合成樹脂製で円環板状のホルダーベース２３が嵌め込まれている。図３に示すように、このホルダーベース２３には、その中央孔２３ｃに開口部１０ａが向くようにして４つの金属製のブラシホルダー１０が十字状にそれぞれ取り付けられるようになっている。
【００１６】
図１及び図２に示すように、金属製のブラシホルダー１０は、相対向する一対の側片１１，１１と天井片１２と後片１３とで前側が開口した断面コ字状の中空角筒状に形成してあり、その内部にコイルバネ１５で整流子２９側に付勢されるブラシ１６を出没自在に収納保持してある。また、一対の側片１１，１１の反天井片側の端部にはＬ字状の固定片１４をそれぞれ一体突出形成してある。
【００１７】
さらに、ホルダーベース２３の他端面２３ｂのブラシホルダー１０の一対の側片１１，１１の前側に対向する位置には凹部２３ｄを形成してあると共に、該ホルダーベース２３のブラシホルダー１０の一対の側片１１，１１の各固定片１４に対向する位置にはホルダーベース２３の一端面２３ａから他端面２３ｂに貫通させて形成した一対の取付孔２４，２４を形成してある。また、ホルダーベース２３の一端面２３ａのブラシホルダー１０の一対の側片１１，１１間には、該ブラシホルダー１０の一対の側片１１，１１の内面間の距離より僅かに短い長さの凸部２５が一体突出形成されている。この凸部２５の上面２５ａの中央には、長手方向に延びる凹状の溝部２５ｂが形成されている。
【００１８】
尚、ブラシホルダー１０の天井片１２の前縁の中央から後側にかけて平面Ｕ字状の開口１２ａが形成されている。この開口１２ａ内にはブラシ１６に接続されたピグテール線１７が移動するようになっている。また、ブラシ１６はエンドカバー２２の中央部の軸受２７とヨーク２１の底部の中央の図示しない軸受とで回転自在に支持されたモータ軸２８の整流子２９に接触するようになっている。さらに、ブラシホルダー１０の後片１３の反天井片側の端部は、ホルダーベース２３の一端面２３ａに形成された凹部２３ｅに嵌め込まれている。
【００１９】
以上実施形態のモータ２０のブラシホルダー取付構造によれば、金属製のブラシホルダー１０を合成樹脂製のホルダーベース２３に取り付ける際に、まず、ブラシホルダー１０の一対の側片１１，１１のＬ字状の各固定片１４，１４を合成樹脂製のホルダーベース２３に形成された一対の取付孔２４，２４に貫通させる。
【００２０】
次に、この一対の側片１１，１１のＬ字状の各固定片１４，１４をホルダーベース２３の他端面２３ｂの凹部２３ｄで相対向するように内側に加締め加工によりそれぞれ折り曲げて該各固定片１４，１４の全体をコ字状にする。この各固定片１４，１４の折り曲げられた後の折り曲げ部（加締め部）を図中符号１４ａで示す。
【００２１】
この一対の側片１１，１１の各固定片１４，１４の折り曲げ時に、ホルダーベース２３の一端面２３ａの一対の側片１１，１１間の凸部２５の両側面２５ｃ，２５ｃで一対の側片１１，１１を支持することができ、該一対の側片１１，１１の折り曲げ時の変形を確実に防止することができる。これにより、金属製のブラシホルダー１０が合成樹脂製のホルダーベースに２３に確実に取り付けられ、このブラシホルダー１０内に出没自在に収納保持されたブラシ１６が合成樹脂製のホルダーベース２３の凸部２５の上面２５ａを滑らかに摺動することができ、モータ２０が確実に作動する。
【００２２】
図５は本発明の他の実施形態のブラシホルダーの取付状態を示す側面図、図６は図５中Ｙ−Ｙ線に沿う断面図である。
【００２３】
図５、図６に示すように、この他の実施形態では、合成樹脂製のホルダーベース２３′の一端面２３ａの金属製のブラシホルダー１０の一対の側片１１，１１間には、該ブラシホルダー１０の一対の側片１１，１１の内面間の距離より僅かに短い長さの凸部２５を一体突出形成してある点は前記実施形態と同じであるが、ホルダーベース２３′の一端面２３ａのブラシホルダー１０の一対の側片１１，１１の外側に前後各一対の凸部２６，２６をそれぞれ一体突出形成してある点が前記実施形態と異なる。尚、他の構成は前記実施形態と同一であるため、同一構成部分には同一符号を付して詳細な説明を省略する。
【００２４】
この他の実施形態のモータ２０のブラシホルダー取付構造によれば、合成樹脂製のホルダーベース２３′の一端面２３ａに、金属製のブラシホルダー１０の一対の側片１１，１１の内面間の距離より僅かに短い長さの凸部及び一対の側片の外側に凸部２５，２６をそれぞれ一体突出形成したことにより、この一対の側片１１，１１のＬ字状の各固定片１４，１４をホルダーベース２３′の他端面２３ｂの凹部２３ｄで加締め加工によりそれぞれ折り曲げ形成して、ブラシホルダー１０をホルダーベース２３′に取り付ける際に、ホルダーベース２３′の一端面２３ａの内側及び外側の各凸部２５，２６間で一対の側片１１，１１を確実に支持することができ、この一対の側片１１，１１の変形をより確実に防止することができる。これにより、ホルダーベース２３′の凸部２５の上面２５ａ上にブラシ１６を滑らかに摺動させることができ、モータ２０を確実に作動することができる。
【００２５】
尚、前記各実施形態によれば、ブラシホルダーの一対の側片の反天井片側の端部の中央にＬ字状の固定片をそれぞれ一体突出形成したものをコ字状に折り曲げ形成したが、固定片をストレートに形成したり、或いは、各側片の反天井片側の端部の前後に固定片を一対形成したものを折り曲げ形成しても良い。
【００２６】
また、前記各実施形態によれば、一対の側片の内面間の距離より僅かに短い長さの凸部を形成したが、この凸部の中間部を分割して複数個に形成しても良い。
【図面の簡単な説明】
【００２７】
【図１】本発明の実施形態のブラシホルダーの取付状態を示す側面図である。
【図２】図１中Ｘ−Ｘ線に沿う断面図である。
【図３】上記ブラシホルダーが取り付けられたホルダーベースの平面図である。
【図４】上記ホルダーベースが取り付けられたモータの要部の断面図である。
【図５】本発明の他の実施形態のブラシホルダーの取付状態を示す側面図である。
【図６】図５中Ｙ−Ｙ線に沿う断面図である。
【図７】従来のブラシホルダーの取付状態を示す断面図である。
【図８】図７中Ｚ−Ｚ線に沿う断面図である。
【図９】上記従来のブラシホルダーの取り付け前の状態を示す斜視図である。
【符号の説明】
【００２８】
１０  金属製のブラシホルダー
１１，１１  一対の側片
１２  天井片
１４，１４  一対の固定片
１４ａ  折り曲げ部（加締め部）
１６  ブラシ
２０  モータ
２３，２３′  樹脂製のホルダーベース
２３ａ  一端面
２３ｂ  他端面
２４，２４  一対の取付孔
２５  凸部
２６  外側の凸部
【図１】
2006211750.tif 000003
【図２】
2006211750.tif 000004
【図３】
2006211750.tif 000005
【図４】
2006211750.tif 000006
【図５】
2006211750.tif 000007
【図６】
2006211750.tif 000008
【図７】
2006211750.tif 000009
【図８】
2006211750.tif 000010
【図９】
2006211750.tif 000011